(57)【要約】【課題】フロアマットのレンタルにおいて、フロアマットを広告媒体として利用するシステムを提供する。【解決手段】システムコンダクター１は広告スポンサー２からの広告依頼に対応してデザイン作成手段４において広告デザインを作成し、広告スポンサー２が了承したならば、施設決定手段９により当該広告に適する施設を選択し、この広告デザインが入ったフロアマットでかつ配置施設に対応する数および大きさのフロアマットをマット作成手段５により作成しサービス手段７によりそれぞれの施設に配置し、以後マットの交換、クリーニング等のメンテナンスを行う。また、フロアマットの配置数、施設の設置場所等に対応して課金手段で課金額を算出し、広告スポンサー２に課金する。【選択図】        図１
2005000343.tif 000002
【特許請求の範囲】
【請求項１】
フロアマットを所定のフロアマット配置施設に配置しかつこれら各フロアマットの交換、クリーニング等のメンテナンスを行うシステムにおいて、フロアマットに広告を出す広告スポンサーと、システム全体を統括するシステムコンダクターと、システムコンダクターから配付されたフロアマットを配置する施設を所有する場所提供者との間で成立するフロアマットの利用システムであって、システムコンダクターにはフロアマットに表示する広告デザインを作成するデザイン作成手段と、作成された広告デザインを表示したフロアマットを作成する手段と、フロアマットを配置するフロアマット配置施設を選択する手段と、フロアマット配置施設にフロアマットを配置しかつ当該フロアマットの交換、クリーニング等のメンテナンスを行うサービス手段とが設けられていることを特徴とするフロアマットの広告媒体利用システム。
【請求項２】
各フロアマットにはフロアマットを通過した人数を計測するセンサが設けられ、各フロアマットの通過人数データはシステムコンダクターに出力されるよう構成したことを特徴とする請求項１記載のフロアマットの広告媒体利用システム。
【請求項３】
前記フロアマットの通過人数データはシステムコンダクターのデータベースに記憶され、課金額の算出、フロアマット配置施設の選択の際の演算要素として用いられることを特徴とする請求項２記載のフロアマットの広告媒体利用システム。
【請求項４】
システムコンダクターは課金手段において、フロアマット使用に関する課金の基本料金を、各フロアマット配置施設に配置されるフロアマットの合計面積と、広告デザインの内容を指数化したデザイン指数データと、フロアマット配置施設の属性を指数化した属性指数データとにより算出するよう構成したことを特徴とする請求項１乃至３の何れかに記載のフロアマットの広告媒体利用システム。
【請求項５】
システムコンダクターは課金手段において、データベースから出力されたフロアマットの通過人数データを前記課金額算出の要素として用いることを特徴とする請求項２乃至４の何れかに記載のフロアマットの広告媒体利用システム。
【発明の詳細な説明】
【０００１】
【発明の属する技術分野】
本発明はフロアマットを広告媒体として用いるシステムに関する。
【０００２】
【従来の技術】
フロアマットを店舗や企業にレンタルし、一定期間をおいて新しいフロアマットと交換し、かつ交換した古いフロアマットをクリーニングして再提供するサービスが従来から展開されている。
【０００３】
これらフロアマットのレンタル事業は、製品としてのフロアマットの使用目的からして、靴裏に付いている塵埃の除去、室内の清潔保持等の観点から定期的に交換し、長期的にフロアマットとしての機能を保持するシステムとして構成されている。
【０００４】
【発明が解決しようとする課題】
フロアマットの本来的な機能は上述のとおりであるが、フロアマット自体は床面のうち一定面積を占めるものである。このためレンタルシステムの一環として、フロアマットに対して図案を表示したり、或いはフロアマットの配置先の店名や企業名等を表示したフロアマットを作成するサービスも実施されている。
【０００５】
しかし、上記サービスはせいぜいフロアマット設置場所の事業主の名称等を表示するようなものであるため、この設置場所を訪れる者にとっては設置場所の店名或いは社名の確認に役立つ程度であり、さしたる効果が上がっていないのが実情である。また店内等に絨毯状に長尺のフロアマットを配置する等、大面積のフロアマットを使用する場合にはこのフロアマット面積に見合った表示は全くされていない。
【０００６】
【課題を解決するための手段】
本発明は上述のフロアマットレンタルシステムにおいて、フロアマットをより有効に利用するよう構成したサービスシステムである。
即ち、本発明はフロアマットを一般広告の媒体として利用することを可能とするシステムであって、基本的にはフロアマットに広告を載せる企業等の広告スポンサーと、広告の載っているフロアマットを設置する場所を提供する者と、広告を載せたマットのデザイン、製作、配付、交換等を行うシステムコンダクターとの間に成立するシステムであり、システムコンダクターにはフロアマットのデザインを作成する手段、作成されたデザインを有するフロアマットを製造する手段、このフロアマットを配付、交換、クリーニング等を行うサービス手段とを有することを特徴とするフロアマットに関するサービスシステムである。
【０００７】
【発明の実施の形態】
企業等広告を行う広告スポンサーはシステムコンダクターに対してフロアマットに対する広告依頼をする。システムコンダクターはこの広告依頼に基づき、フロアマットに表示する広告のデザインを行い、インターネット等の情報伝達手段を介してそのデザインを広告スポンサーに提示する。また広告内容に応じて、フロアマットの配置場所提供者の施設所在地、施設面積、業態等の属性を選択し、必要に応じてマット配場所設提供者の施設を選択提示する。
【０００８】
提示したデザイン、フロアマット配置施設およびこれらに基づく課金額等を提示し、広告スポンサーが了承したならばフロアマットの配置施設に対応した数量、大きさでフロアマットを作成する。作成したフロアマットはこれらフロアマットの配置場所提供者の施設に配置され、以後予め定められた期間フロアマットの定期的交換（同じ広告スポンサーの広告が載っているもの）等のメンテナンスが実施される。
【０００９】
フロアマットの設置に関して実施される広告スポンサーに対する課金は、フロアマットの配置枚数、フロアマットの配置場所提供者の施設の所在地、同提供者の業態等を考慮して例えば基本料金が設定される。
【００１０】
一方、フロアマットの下に感圧センサ等を配置することにより一定期間内にフロアマットを通過した人数を計測したり、フロアマットの配置場所提供者の施設の訪問者に対するアンケート調査の結果を指数化することにより、課金時にこれらの指数により基本料金に対する加算額或いは減額を算出し、最終的に広告スポンサーに課金する。
【００１１】
【実施例】
以下本発明の実施例を図面を参考に説明する。
先ず図１を用いて本発明のシステムを説明する。
本システムはシステム全体の運用を行うシステムコンダクター１と、このシステムコンダクター１に対して広告を依頼する企業、団体等の広告スポンサー２と、広告スポンサー２の広告を載せたフロアマットを配置するフロアマット配置場所の提供者（以下単に「場所提供者」とする）、より直接的には当該場所提供者が提供したフロアマット配置施設３との間に成立するシステムである。
【００１２】
先ずシステムコンダクター１について説明すると、システムコンダクター１はシステム全体を運用するため次のような手段を有している。
符号４はデザイン作成手段であって、サーバー６を介して入力された広告スポンサー２の依頼内容に基づいた広告のデザインを作成する手段である。図示の構成ではデザイン作成手段４はシステムコンダクター１内に配置される構成となっているが、デザイン会社等システムコンダクター１とは別組織に構成にするようにしてもよい。
【００１３】
５はフロアマット作成手段であって、システムコンダクター１と広告スポンサー２との間で合意に達したデザインを載せたフロアマットを作成する手段である。この手段５もデザインコンダクター１とは別組織のマット製造業者としてもよい。
【００１４】
７はサービス手段であって、場所提供者のフロアマット配置施設３に対してフロアマットを送付したり、マットの交換をしたり、交換したマットをクリーニングする等のメンテナンスを行う手段であって、この手段もまた前記２者と同様デザインコンダクター１と別組織としてもよい。
【００１５】
８はデータベースであって、後述するようにフロアマットの作成、課金、フロアマットの配置施設の選択等に必要なデータが蓄積されている。符号９はフロアマット配置施設の決定手段であって、広告スポンサー２の要望、広告の内容等に対応して、データベースから出力されたフロアマット配置施設の所在地、広さ、業態等の属性データから好適なフロアマット配置施設を選択する手段である。
【００１６】
符号１０は訪問者であって、例えはフロアマット配置施設３がデパートやスーパーマーケット等の小売り業であればこの施設を訪れた買い物客であり、当該施設３が劇場、映画館等であれば観客であり、また学校であれば学生等であり、さらに病院であれば通院者、見舞客等となる。
【００１７】
次に主として図２を用いて本システムのうち、フロアマットの作成から所定のフロアマット配置施設に対するフロアマットの配置までの手順の一例を示す。
先ず広告スポンサー２からシステムコンダクター１に対して広告の依頼がきたならば（ＳＡ１）、システムコンダクター１はデザイン作成手段４において広告スポンサー２の依頼の内容、同広告スポンサー２の業種等を考慮してフロアマットに表示する広告のデザインを行う。
【００１８】
具体的には、キャッチコピーの表示、商品の表示、これら配置関係等広告として直接表示するデザインの他、広告を表示する媒体であるフロアマットの材質（毛脚の長さ、マットの織り方等）によりフロアマットとしてのデザインを作成する（ＳＡ２）。このデザインを広告スポンサー２に提示し、システムコンダクター１と広告スポンサー２との間で最終的なデザインを決定する（ＳＡ３）。
【００１９】
次に、広告のデザインにふさわしいフロアマット配置施設を、データベース８に記憶されている個々のフロアマット配置施設の属性に基づき決定する。フロアマット配置施設の属性としては、フロアマット配置施設の地理的条件（施設所在地、大通りに面しているか、駅からの距離などの交通の利便性等）、施設としての属性（小売業・学校・劇場等の施設の業態、施設の規模等）等から決定する。
【００２０】
フロアマット配置施設の決定方法としては幾つか考えられるが、例えば広告スポンサー２が衣料品メーカーであるとすると、フロアマット配置施設をデパート等の小売り業等としたり、同広告スポンサー２が出版社であれば学校、図書館等の教育施設をフロアマット配置施設として選択する等である。
【００２１】
次に、施設に対する訪問者数（後述する方法でシステムコンダクター１のデータベース８に蓄積する）、施設の設置場所等の属性を考慮して決定する。この場合施設所在地の利便性、実際の訪問者数等から施設毎の評価を行い、この評価指数を用いて課金額の計算を行うようにしてもよい（ＳＡ４）。
【００２２】
以上のようにしてフロアマット配置施設が決定したならば、各配置施設を所有する場所提供者にフロアマット設置の許諾を得る（ＳＡ５）。但し、システムコンダクター１と場所提供者とが、予め施設に対するフロアマットの配置について合意しておくことにより、個々のフロアマットの配置に関してその都度許可をとる煩わしさを無くすようにすることも当然可能である。
【００２３】
以上の手順により最終的にフロアマットを配置するフロアマット配置施設が決定したならば、各フロアマット配置施設に対応した枚数、形状、大きさを決定し（ＳＡ６）、この決定した内容に対応してマット作成手段５によりフロアマットを作成し（ＳＡ７）、サービス手段７によりそれぞれのフロアマット配置施設に所定のフロアマットを配置し（ＳＡ８）、フロアマットのメンテナンスを開始する。
【００２４】
次に主として図３を用いて課金方法について説明する。
先ず、前述のステップにより作成したフロアマットの枚数及び面積の合計を算出し、課金の基本として広告媒体としてのフロアマットの面積を算出する（ＳＢ１）。またこの場合、フロアマットに対する広告のデザインの内容を指数化する（ＳＢ２）。例えば広告デザインに用いた色数、表示した図形の複雑度等に基づいてフロアマットに施したデザインの内容に対応する指数を作成する。
【００２５】
一方、選定されたフロアマット配置施設３の所在地、例えば大通りに面しているか、駅からの距離等、前述したフロアマット配置施設の属性も同様に指数化する（ＳＢ３）。これら各指数と前記フロアマットの総面積からフロアマットレンタル基本料金を算出する（ＳＢ４）。
【００２６】
各フロアマット配置施設３のフロアマットに感圧センサ等、人の通過がカウントできるセンサが配置され、個々のフロアマットの通過人数がカウントされる。この通過人数データはインターネット、電話回線等の通信手段を介して定期的にシステムコンダクター１のデータベース８に出力される（ＳＢ５）。この通過人数データが予め設定した数に達しない場合には前記基本料金を減額したり、或いは逆に上記設定数を超過したときは基本料金に対して一定料金を加算する（ＳＢ６）。またこの通過人数データは新たにフロアマットを設置する場合、システムコンダクター１の施設決定手段９における施設決定要素の一つとし、かつ前記ステップＳＢ３における指数化の一つの要素とする。
【００２７】
また、各フロアマット配置施設来訪者に対してフロアマットに表示されている広告に関するアンケートを実施し（ＳＢ７）、このアンケート結果も前記基本料金増額、減額の基準とする（ＳＢ８）ようにしてもよい。以上のようにして最終的に課金額を決定して課金する（ＳＢ９）。なお、図１の符号１１は上記した課金額の算出を行う課金手段たるサーバーである。
【００２８】
なお課金の対象は基本的には広告スポンサー２であるが、室内の清潔性の保持等、本来のフロアマットの機能による効果（利益）を直接的に受ける者はフロアマット配置施設を提供する場所提供者であるから、事前の契約により場所提供者も課金額の一部を負担するように課金システムを構成するようにしてもよい。
【００２９】
【発明の効果】
以上具体的に説明したように本発明によれば、靴裏に付いている塵埃の除去、室内の清潔性保持等を行うという本来の機能を有するフロアマットに対して広告媒体という新た機能を付加することにより社会に対して従来存在しなかった広告機能を提供することが可能となる。
【００３０】
また、システムコンダクターを介して、広告スポンサーはフロアマットという新たな広告媒体を介して所望の広告が可能となり、場所提供者はこの広告のあるフロアマットを安価に或いは無償で使用することが可能となり、全体のシステムを調整するシステムコンダクターはこのシステムを実行する過程で広告スポンサー等から収益を得る等、三者共にそれぞれ目的に応じた収益（利益）が期待される新たなビジネスモデルを実行することができる。
【００３１】
更にフロアマット配置施設を訪れる者の数をカウントすることにより、広告媒体としてのフロアマットの有効性を評価することができ、それぞれのフロアマットに対してより適切な広告を記載することが可能となる。
【図面の簡単な説明】
【図１】本発明のシステムの構成を示すブロック図である。
【図２】広告デザインを表示したフロアマットの作成手順の一例を示すフロー図である。
【図３】課金額の算出方法の一例を示すフロー図である。
【符号の説明】
１  システムコンダクター
２  広告スポンサー
３  フロアマット配置施設
４  デザイン作成手段
５  フロアマット作成手段
７  サービス手段
８  データベース
９  フロアマット配置施設決定手段
１０  訪問者
１１  課金手段
【図１】
2005000343.tif 000003
【図２】
2005000343.tif 000004
【図３】
2005000343.tif 000005